(57)【特許請求の範囲】
【請求項１】
診断対象のプラントに設置される各種センサからの複数の計測データに対し、適応共鳴理論によりカテゴリー判別処理を実行するＡＲＴ処理部と、
前記ＡＲＴ処理部の起動タイミングを制御するＡＲＴ制御部と、
前記複数の計測データに対し、前記ＡＲＴ処理部において、正常時のデータで判別したカテゴリーに属するデータと前記複数の計測データとの空間上の距離の差分に基づき、前記診断対象のプラント全体の異常度を求め、前記正常時のデータで判別したカテゴリーに属するデータと、前記複数の計測データ毎の軸方向における距離の差分に基づき、前記複数の計測データ毎の異常度を算出する異常度算出部を備え、
前記ＡＲＴ制御部は、前記異常度算出部により求められた前記診断対象のプラント全体の異常度が、所定の閾値を超える回数が一定数以上の場合、前記ＡＲＴ処理部を起動することを特徴とするプラント異常診断装置。
【請求項２】
診断対象のプラントに設置される各種センサからの複数の計測データに対し、適応共鳴理論によりカテゴリー判別処理を実行するＡＲＴ処理部と、
前記ＡＲＴ処理部の起動タイミングを制御するＡＲＴ制御部と、
前記複数の計測データに対し、前記ＡＲＴ処理部において、正常時のデータで判別したカテゴリーに属するデータと前記複数の計測データとの空間上の距離の差分に基づき、前記診断対象のプラント全体の異常度を求め、前記正常時のデータで判別したカテゴリーに属するデータと、前記複数の計測データ毎の軸方向における距離の差分に基づき、前記複数の計測データ毎の異常度を算出する異常度算出部を備え、
前記ＡＲＴ制御部は、前記異常度算出部により求められた前記複数の計測データ毎の異常度が、所定の閾値を超える回数が一定数以上の場合、前記ＡＲＴ処理部を起動することを特徴とするプラント異常診断装置。
【請求項３】
請求項１または請求項２のうち、いずれか１項に記載のプラント異常診断装置において、
入力部及び表示部を有する入出力装置と接続し、
前記表示部は、前記異常度算出部により算出された前記複数の計測データ毎の異常度の時間変化を表示する第１表示領域と、前記ＡＲＴ処理部によるカテゴリー判別処理にて得られるカテゴリー番号の時間変化を表示する第２表示領域と、を備えることを特徴とするプラント異常診断装置。
【請求項４】
請求項１または請求項２のうち、いずれか１項に記載のプラント異常診断装置において、
入力部及び表示部を有する入出力装置と接続し、
前記表示部は、前記ＡＲＴ処理部によるカテゴリー判別処理にて得られるカテゴリー番号の時間変化を表示する第１表示領域と、前記入力部を介して異常事象登録の入力を受け付ける入力領域と、を備えることを特徴とするプラント異常診断装置。
【請求項５】
診断対象のプラントの異常を診断するプラント異常診断装置と、
前記診断対象のプラントのプロセス制御及び前記診断対象のプラントに設置される各種センサからの複数の計測データを前記プラント異常診断装置に送信するプラント制御装置と、
入力部及び表示部を有する入出力装置と、を備え、
前記プラント異常診断装置は、
前記プラント制御装置より送信される各種センサからの複数の計測データに対し、適応共鳴理論によりカテゴリー判別処理を実行するＡＲＴ処理部と、
前記ＡＲＴ処理部の起動タイミングを制御するＡＲＴ制御部と、
前記複数の計測データに対し、前記ＡＲＴ処理部において、正常時のデータで判別したカテゴリーに属するデータと前記複数の計測データとの空間上の距離の差分に基づき、前記診断対象のプラント全体の異常度を求め、前記正常時のデータで判別したカテゴリーに属するデータと、前記複数の計測データ毎の軸方向における距離の差分に基づき、前記複数の計測データ毎の異常度を算出する異常度算出部を有し、
前記ＡＲＴ制御部は、前記異常度算出部により求められた前記診断対象のプラント全体の異常度が、所定の閾値を超える回数が一定数以上の場合、前記ＡＲＴ処理部を起動することを特徴とするプラント異常診断システム。
【請求項６】
診断対象のプラントの異常を診断するプラント異常診断装置と、
前記診断対象のプラントのプロセス制御及び前記診断対象のプラントに設置される各種センサからの複数の計測データを前記プラント異常診断装置に送信するプラント制御装置と、
入力部及び表示部を有する入出力装置と、を備え、
前記プラント異常診断装置は、
前記プラント制御装置より送信される各種センサからの複数の計測データに対し、適応共鳴理論によりカテゴリー判別処理を実行するＡＲＴ処理部と、
前記ＡＲＴ処理部の起動タイミングを制御するＡＲＴ制御部と、
前記複数の計測データに対し、前記ＡＲＴ処理部において、正常時のデータで判別したカテゴリーに属するデータと前記複数の計測データとの空間上の距離の差分に基づき、前記診断対象のプラント全体の異常度を求め、前記正常時のデータで判別したカテゴリーに属するデータと、前記複数の計測データ毎の軸方向における距離の差分に基づき、前記複数の計測データ毎の異常度を算出する異常度算出部を有し、
前記ＡＲＴ制御部は、前記異常度算出部により求められた前記複数の計測データ毎の異常度が、所定の閾値を超える回数が一定数以上の場合、前記ＡＲＴ処理部を起動することを特徴とするプラント異常診断システム。
【請求項７】
請求項５または請求項６のうち、いずれか１項に記載のプラント異常診断システムにおいて、
前記表示部は、前記異常度算出部により算出された前記複数の計測データ毎の異常度の時間変化を表示する第１表示領域と、前記ＡＲＴ処理部によるカテゴリー判別処理にて得られるカテゴリー番号の時間変化を表示する第２表示領域と、を備えることを特徴とするプラント異常診断システム。
【請求項８】
請求項５または請求項６のうち、いずれか１項に記載のプラント異常診断システムにおいて、
前記表示部は、前記ＡＲＴ処理部によるカテゴリー判別処理にて得られるカテゴリー番号の時間変化を表示する第１表示領域と、前記入力部を介して異常事象登録の入力を受け付ける入力領域と、を備えることを特徴とするプラント異常診断システム。
【発明の詳細な説明】
【技術分野】
【０００１】
本発明は、クラスタリング技術の１つである適応共鳴理論(Ａｄａｐｔｉｖｅ  Ｒｅｓｏｎａｎｃｅ  Ｔｈｅｏｒｙ：ＡＲＴ)を用いたプラントの異常診断装置及びプラント異常診断システムに関する。
【背景技術】
【０００２】
アラームが出力される前に、プラントの異常状態を早期に検知することは、運転信頼性を向上する点で有効である。早期にプラントの異常を検知する方法としては、予めプラントの正常時のデータパターンを学習しておき、これと計測データのパターンを比較することにより状態変化を検知することが有効である。このようなデータ解析手法の一つとして適応共鳴理論(Ａｄａｐｔｉｖｅ  Ｒｅｓｏｎａｎｃｅ  Ｔｈｅｏｒｙ：ＡＲＴ、以下ＡＲＴと称する)が挙げられる。ＡＲＴとはクラスタリング解析手法の１つであり、入力されたデータを、複数のカテゴリー（クラスタ）に分類する方法である。カテゴリーとは、類似性を持つデータのまとまりを表す。一般的なクラスタリング解析手法では、複数の入力データを多次元空間上にマッピングし、空間上の距離からデータのまとまりを定義する。ＡＲＴでは、入力データに対してカテゴリーの番号を割り当てる。同じカテゴリー番号となった入力データは、類似性が高いことを示す。【０００３】
ＡＲＴを用いてプラントの異常診断を行う場合は、先ず、正常時のプラントデータをＡＲＴの入力として設定し、カテゴリー番号を出力する。このとき出力されたカテゴリー番号は正常状態として定義される。以上の処理を正常状態の「学習」と呼ぶ。正常時でもプラントの運転条件が異なれば、それぞれに応じたカテゴリー番号が定義される。このため、正常を示すカテゴリー番号は複数存在する。  
次に、プラントの計測データをＡＲＴの入力として設定し、カテゴリー番号を出力する。この処理を「診断」と呼ぶ。診断処理で出力されたカテゴリー番号が、学習処理で出力されたカテゴリー番号に含まれていれば正常と判断する。一方、学習処理では出力されなかったカテゴリー番号が新規に出力された場合、この入力データは正常データには含まれないデータパターンであり、異常と判断する。【０００４】
このようなＡＲＴを用いてプラントの異常診断を行うものとして、例えば、特許文献１に記載される技術が知られている。特許文献１に開示されるプラント監視支援システムでは、淡水化プラントの計測データを用いて、ＡＲＴにより判定したカテゴリーの情報を基に異常を検知する、更に、異常程度の評価と、異常状態への寄与率の高い信号の選定も行っている。異常程度を評価するために、カテゴリーの大きさを調整するための調整パラメータρを利用している。調整パラメータρを大きくするほどカテゴリーは小さくなり、入力データを細かく分類することができる。従って、正常のデータパターンと僅かに異なる場合でも、新規カテゴリーとして判定されるため、異常に対する感度を高くできる。しかし、入力データに含まれる通常の変動に対しても異常と判定し易くなるため、誤検知が増える。一方、調整パラメータρを小さくするほどカテゴリーは大きくなり、データの分類が粗くなる。従って、異常に対する感度は低くなるが、誤検知を低減することができる。【０００５】
調整パラメータρの値を変えた複数の条件で、ＡＲＴにより正常／異常を判定し、異常と判定したρの値に応じて異常程度を判定する。例えば、ρが小さい場合、すなわち、異常に対する感度が低い条件でも、ＡＲＴが異常と判定したのであれば、正常との差が非常に大きくなっていると判断できる。これを利用し、「大」、「中」、「小」などの警報レベルを評価している。
また、特許文献１では、異常状態への寄与率の高い信号を選定するために、入力データを多次元空間にマッピングしたときの位置関係を利用している。診断処理において、入力データが正常を示すカテゴリーに含まれなかった場合、空間上での入力データと、それに最も近いカテゴリーの重心との位置関係に対して、各軸(各信号)の方向への距離差から各信号の寄与率を求めている。
【先行技術文献】
【特許文献】
【０００６】
【特許文献１】特開２０１６―８１４８２号公報
【発明の概要】
【発明が解決しようとする課題】
【０００７】
しかしながら、特許文献１に記載される構成では、淡水化プラントの計測データ、すなわち、淡水化プラントに設置される各センサによる計測データが取得される毎にカテゴリー判定処理し、各センサからの計測データ毎（入力信号毎）に寄与率を算出するものであって、プラント全体での異常を早期に判定する点については、何ら考慮されていない。換言すれば、特許文献１に記載される構成では、各センサによる計測データが取得される毎にＡＲＴによるカテゴリー判定処理を行うものである。カテゴリー判定処理は収束計算を伴うため、処理に時間を要し、異常を検知するまでに時間の遅れが生じ得る、また、突発的なプラント全体での異常を見落とすことが危惧される。【０００８】
そこで、本発明は、ＡＲＴを用いたプラントの異常診断において、プラント全体での異常を早期に判定し得るプラント異常診断装置及びプラント異常診断システムを提供する。
【課題を解決するための手段】
【０００９】
上記課題を解決するため、本発明のプラント異常診断装置は、診断対象のプラントに設置される各種センサからの複数の計測データに対し、適応共鳴理論により正常時のデータで判別したカテゴリーに属するデータと前記複数の計測データとの空間上の距離の差分に基づき、前記診断対象のプラント全体の異常度を求める異常度算出部を備えることを特徴とする。  
また、本発明のプラント異常診断システムは、診断対象のプラントの異常を診断するプラント異常診断装置と、前記診断断対象のプラントのプロセス制御及び前記断対象のプラントに設置される各種センサからの複数の計測データを前記プラント異常診断装置に送信するプラント制御装置と、入力部及び表示部を有する入出力装置と、を備え、前記プラント異常診断装置は、前記プラント制御装置より送信される各種センサからの複数の計測データに対し、適応共鳴理論により正常時のデータで判別したカテゴリーに属するデータと前記複数の計測データとの空間上の距離の差分に基づき、前記診断対象のプラント全体の異常度を求める異常度算出部を有することを特徴とする。
【発明の効果】
【００１０】
本発明によれば、ＡＲＴを用いたプラントの異常診断において、プラント全体での異常を早期に判定し得るプラント異常診断装置及びプラント異常診断システムを提供することが可能となる。  
上記した以外の課題、構成及び効果は、以下の実施形態の説明により明らかにされる。
【図面の簡単な説明】
【００１１】
【図１】本発明の一実施例に係る実施例１のプラント異常診断システムの全体概略構成を示す機能ブロック図である。
【図２】クラスタリングの概念の説明図である。
【図３】図１に示すＡＲＴ処理部の主要部を示す構成図である。
【図４】図１に示すカテゴリーデータベースのデータ構造を示す図である。
【図５】図１に示すプラントデータベースのデータ構造を示す図である。
【図６】図１に示す診断結果データベースのデータ構造を示す図である。
【図７】図１に示す異常事象データベースのデータ構造を示す図である。
【図８】異常度の算出方法を示す図である。
【図９】異常度の時間変化を示す図である。
【図１０】診断結果データベースのデータ構造を示す図である。
【図１１】ＡＲＴによるクラスタリングの概念の説明図である。
【図１２】異常度の時間変化及びカテゴリー番号の時間変化を表示する表示画面例である。
【図１３】異常度の時間変化及びカテゴリー番号の時間変化を表示する表示画面例である。
【図１４】異常事象の登録時における表示画面例である。
【図１５】カテゴリー番号の時間変化及び診断結果としての異常事象を表示する表示画面例である。
【発明を実施するための形態】
【００１２】
本発明の実施形態に係るプラント異常診断装置及びプラント異常診断システムが適用されるプラントは、海水淡水化プラント、下水処理プラント、或は上水処理プラントなどの水処理プラント、発電プラント、化学プラントなどの各種産業用プラントを含む。  
以下、図面を用いて本発明の実施例について説明する。
【実施例１】
【００１３】
図１は、本発明の一実施例に係る実施例１のプラント異常診断システムの全体概略構成を示す機能ブロック図である。図１に示すように、プラント異常診断システム１は、プラント５の異常を診断するプラント異常診断装置２、プラント５の監視及びプロセス制御を行うプラント制御装置３、及び、入力部と出力部を備える入出力装置４から構成される。【００１４】
入出力装置４は、例えば、キーボード又はマウスなどの入力装置を有し、ユーザがプラント異常診断装置２に対しデータを入力及び／又は登録する際に用いられる。また、入出力装置４は、例えば、液晶ディスプレイ（ＬＣＤ）又は有機ＥＬディスプレイなどの表示装置、及びプリンタなどの印字出力装置を有する出力部であり、プラント異常診断装置２による診断対象のプラント５の異常の診断結果、或はプラント異常診断装置２のユーザのための対話的な処理のための画面を表示する。【００１５】
プラント制御装置３は、例えば、制御盤又はＳＣＡＤＡ（Ｓｕｐｅｒｖｉｓｏｒｙ  Ｃｏｎｔｒｏｌ  Ａｎｄ  Ｄａｔａ  Ａｃｑｕｉｓｉｔｉｏｎ）にて実現される。プラント制御装置３としてＳＣＡＤＡを用いた場合、ＳＣＡＤＡは、少なくとも、プラント５を構成する各種機器のプロセス制御を行うプログラマブルロジックコントローラ（ＰＬＣ）と、プラント５を構成する各種機器及び配管などに設置される、流量計、圧力計、温度計などの各種センサからの計測データを収集し、収集された各種センサからの計測データをプラント異常診断装置２へ送信する通信機能を備える。【００１６】
プラント異常診断装置２は、データ取得部１０１、データ前処理部１０２、異常度算出部１０３、ＡＲＴ制御部１０４、ＡＲＴ処理部１０５、異常判定部１０６、入出力制御部１０７、プラントデータベース１０８、カテゴリーデータベース１０９、診断結果データベース１１０、異常事象データベース１１１、及びプラント制御装置３から送信される各種センサからの計測データを受信する通信Ｉ／Ｆ１１２を備え、これらは相互に内部バス１１３にてアクセス可能に接続されている。プラント異常診断装置２を構成する、データ取得部１０１、データ前処理部１０２、異常度算出部１０３、ＡＲＴ制御部１０４、ＡＲＴ処理部１０５、異常判定部１０６、及び入出力制御部１０７は、例えば、図示しないＣＰＵ（Ｃｅｎｔｒａｌ  Ｐｒｏｃｅｓｓｉｎｇ  Ｕｎｉｔ）などのプロセッサ、各種プログラムを格納するＲＯＭ、演算過程のデータを一時的に格納するＲＡＭ、外部記憶装置などの記憶装置にて実現されると共に、ＣＰＵなどのプロセッサがＲＯＭに格納された各種プログラムを読み出し実行し、実行結果である演算結果をＲＡＭ又は外部記憶装置に格納する。【００１７】
データ取得部１０１は、通信Ｉ／Ｆ１１２を介して受信された、プラント制御装置３からの各種センサによる計測データを、内部バス１１３を介して取得し、例えば、Ａ／Ｄ変換処理、平滑化処理（ノイズ除去）、或いは正規化処理などを実行する。また、データ取得部１０１は、上述の処理後の各種センサによる計測データを、内部バス１１３を介してプラントデータベース１０８へ転送する。これにより、プラントデータベース１０８は、各種センサによる計測データであるプラント５のデータを時系列に格納する。  
データ前処理部１０２は、内部バス１１３を介してプラントデータベース１０８へアクセスし、プラントデータベース１０８に格納されたデータから、後述するＡＲＴによる診断処理の入力となるデータを取り込み、さらに、ＡＲＴ処理の入力となるように、データを０から１の間に規格化する。またデータ前処理部１０２は、内部バス１１３を介して異常度算出部１０３へ規格化後のデータを転送する。【００１８】
異常度算出部１０３は、データ前処理部１０２より内部バス１１３を介して転送される規格化後のデータを取り込み、診断対象であるプラント５全体での異常度、及び各信号の異常寄与度を算出する。なお、ここで各信号とは、規格化後のデータに含まれる上述の各種センサによる計測データに対応する。  
ＡＲＴ制御部１０４は、内部バス１１３を介して異常度算出部１０３にて算出された異常度を取り込み、異常度の出力傾向に応じて、ＡＲＴによる処理の実行タイミングを制御する。【００１９】
ＡＲＴ処理部１０５は、ＡＲＴによる処理を実行する。異常判定部１０６は、内部バス１１３を介してＡＲＴ処理部１０５の出力結果であるカテゴリーの情報を取り込み、当該カテゴリーの情報に基づき、正常又は異常の判定を行う。また、異常判定部１０６は、内部バス１１３を介して正常又は異常の判定結果を診断結果データベース１１０へ転送する。これにより、診断結果データベース１１０は、異常判定部１０６より内部バス１１３を介して転送される正常又は異常の判定結果を、プラント５の診断結果として格納する。    カテゴリーデータベース１０９は、異常度算出部１０３及び異常判定部１０６の処理で使用するカテゴリー毎の特性データを格納している。【００２０】
プラント異常診断装置２では、上述のようにＡＲＴを、診断対象であるプラント５の診断処理に用いる。そこで先ず、ＡＲＴ処理部１０５が実行するＡＲＴによる処理、異常判定部１０６が実行するＡＲＴ処理結果の判定、及び診断結果の診断結果データベース１１０の出力処理について説明する。【００２１】
ＡＲＴはクラスタリング手法の一つである。図２にクラスタリングの概念の説明図示す。図２の上図は、２種類の信号（信号Ｘ１、信号Ｘ２）の値を２次元空間にプロットした状態、すなわち、これら２つの信号（信号Ｘ１、信号Ｘ２）の相関関係を表している。図２の上図に示すように、横軸である信号Ｘ１及び縦軸である信号Ｘ２は、データ前処理部１０２より各信号（データ）が０から１の間に規格化されている。  
クラスタリングでは、図２の上図に示すように空間上にプロットされたデータに対し、相互に近い関係にあるデータをまとめて、グループ(クラスタ)を定義する。図２の上図に示す例では、丸にて示される２１０ａ及び２１０ｂがそれぞれ１つのグループを表している。ＡＲＴでは、各グループをカテゴリーと呼び、カテゴリー２１０ａ及びカテゴリー２１０ｂにそれぞれ異なるカテゴリー番号を割り当て識別可能としている。従って、ＡＲＴの出力は、入力データに対して割り当てたカテゴリー番号となる。同じカテゴリー番号が割り当てられたデータは類似の傾向にあることを表す。また、図２の上図に示す例では、２次元の場合、すなわち、２つの信号（信号Ｘ１、信号Ｘ２）を入力とした場合を示しているが、これは説明を解り易くするためである。実際のプラント５の異常診断では、多数の信号が入力として設定され、多次元空間の中でクラスタリングの処理を行う。【００２２】
ＡＲＴによりプラント５の異常診断を行う場合、診断処理の前に、先ず、正常として定義されたプラントデータ（上述の各種センサによる計測データ）を入力としてＡＲＴ処理部１０５によるカテゴリーの判定処理を行う。この処理を学習と呼ぶ。学習処理で出力されたカテゴリー番号は正常を表す。次に、診断用のプラントデータをＡＲＴ処理部１０５の入力に設定してカテゴリーの判定処理を行い、異常判定部１０６にてＡＲＴ処理部１０５から出力されるカテゴリーに基づき正常／異常の判定処理を行う。図２の下図に示すように、入力データ２１１が、正常と定義されているカテゴリー２１０ａ及びカテゴリー２１０ｂを外れた場合、プラント５は正常時の特性とは異なる状態にあり、異常と判断できる。ＡＲＴによる処理では、既存カテゴリーに該当しないデータが入力されると、新規にカテゴリーを作成して番号を割り当てる。すなわち、ＡＲＴ処理部１０５が判定したカテゴリー番号が、学習時におけるカテゴリー番号とは異なるとき、異常判定部１０６はプラント５が異常状態にあると判定する。なお、プラント５が新設のプラントである場合、上述の学習処理はプラント５の試運転時に行われる。また、既設のプラント５にプラント異常診断装置２を新たに組み込む場合には、過去の運転実績データ（プラントデータ）を用いて学習すれば良い。【００２３】
次に、ＡＲＴ処理部１０５によるクラスタリング処理の詳細を説明する。図３は、図１に示すＡＲＴ処理部１０５の主要部を示す構成図である。  
図３に示すように、ＡＲＴ処理部１０５は、少なくとも、正規化・ノイズ除去部（Ｆ０レイヤー）３１０、入力パターン保持部（Ｆ１レイヤー）３１１、カテゴリー出力部（Ｆ２レイヤー）３１２、カテゴリー妥当性判定部（Ｏｒｉｅｎｔｉｎｇ  Ｓｕｂｓｙｓｔｅｍ）３１３、及びメモリー３１４から構成されている。ＡＲＴ処理部１０５により実行されるアルゴリズム（ＡＲＴによる処理）は、以下のステップ１〜ステップ６となる。【００２４】
ステップ１：正規化・ノイズ除去部（Ｆ０レイヤー）３１０では、入力ベクトルの大きさが１になるように正規化され、また、ノイズが除去される。【００２５】
ステップ２：入力パターン保持部（Ｆ１レイヤー）３１１では、漸化式（差分方程式とも称される）を用いてデータの短期的な記憶を行う。【００２６】
ステップ３：カテゴリー出力部（Ｆ２レイヤー）３１２では、入力された入力データとメモリー３１４に記憶されている重み係数との比較により、カテゴリーの候補が選択される。【００２７】
ステップ４：カテゴリー妥当性判定部（Ｏｒｉｅｎｔｉｎｇ  Ｓｕｂｓｙｓｔｅｍ）３１３では、カテゴリー出力部（Ｆ２レイヤー）３１２で選択したカテゴリーの妥当性を評価する。妥当と判定されれば、入力データはそのカテゴリーに分類され、ステップ６に進む。妥当と判定されなければ、そのカテゴリーはリセット（カテゴリーの候補から除外）され、再びステップ２から候補のカテゴリー番号の選択処理を行う。【００２８】
ステップ５：ステップ４で、全ての既存のカテゴリーがリセット（カテゴリーの候補から除外）、すなわち、妥当なカテゴリーが存在しないと判定されると、新規カテゴリーを作成する。このとき、新規カテゴリーに対応する重み係数も新規に定義する。新規に定義された重み係数はメモリー３１４に記憶される。【００２９】
ステップ６：入力データがカテゴリーに分類されると、該当するカテゴリーに対応する重み係数を更新する。重み係数の更新は以下の式（１）にて実行される。  
ＷＪ（ｎｅｗ）＝Ｋｗ×ｐ＋（１−Ｋｗ）×ＷＪ（ｏｌｄ）・・・（１）
ここで、ＷＪ（ｎｅｗ）はカテゴリーＪに対応する重み係数、ＷＪ（ｏｌｄ）は過去の重み係数、ｐは入力データ（または、入力データから派生したデータ）、Ｋｗは学習率パラメータであり、入力データを新しい重み係数に反映させる度合いを決定する。【００３０】
以上がＡＲＴ処理部１０５によるクラスタリング処理の流れである。ＡＲＴ処理部１０５は、この処理により、入力データに応じたカテゴリー番号を出力する。  
ＡＲＴ処理部１０５によるクラスタリング処理の特徴はステップ５の処理にある。ステップ５の処理により、入力データが既存のカテゴリー(クラスタ)と異なる傾向をもつ場合、既存カテゴリーはそのままで、新しいカテゴリーを新規に作成できる。このため、過去に学習したカテゴリーを保存しながら、新たなデータの傾向をもつカテゴリーを作成することが可能となる。【００３１】
上述のＡＲＴ処理部１０５によるクラスタリング処理により、入力データに対応するカテゴリー番号が出力され、異常判定部１０６において、ＡＲＴ処理部１０５が出力したカテゴリー番号に対して、正常／異常の判定が行われる。【００３２】
プラント異常診断装置２では、診断処理を行う前に予め正常データを用いて学習処理を実行する。学習処理で定義された正常カテゴリーの情報は、カテゴリーデータベース１０９に格納されている。図４に、図１に示すカテゴリーデータベース１０９のデータ構造を示す。図４に示すように、カテゴリーデータベース１０９は、「カテゴリー番号」欄、正常か異常かを示す「正常／異常」欄、カテゴリー番号毎のデータ総数を示す「データ数」欄、及びプラント５を構成する各種機器及び配管などに設置される各種センサからの計測データである信号毎の平均値を示す「入力データ平均値」欄をテーブル形式にて格納している。すなわち、カテゴリー番号毎に、正常／異常を０／１で表したフラグ、該当する入力データ数、入力データの平均値が格納されている。例えば、「カテゴリー番号」が「０」については、「正常／異常」欄には学習処理で定義された正常カテゴリーであることを表す「０」、「データ数」欄には「４０」、及び「入力データ平均値」欄には「信号Ａ」の平均値である「０．６」、「信号Ｂ」の平均値である「０．３」が格納されている。また、「カテゴリー番号」が「５」については、「正常／異常」欄には学習処理で定義された正常カテゴリーに該当せず異常であることを表す「１」、「データ数」欄には「４」、及び「入力データ平均値」欄には「信号Ａ」の平均値である「０．４」、「信号Ｂ」の平均値である「０．８」が格納されている。【００３３】
ここでプラントデータベース１０８について説明する。図５は、図１に示すプラントデータベース１０８のデータ構造を示す図である。図５においては、プラント５の一例として発電プラントの場合を示している。図５に示すように、プラントデータベース１０８は、「日時」欄、「発電機出力（ＭＷ）（信号Ａ）」欄、及び「燃料流量（ｋｇ／ｓ）（信号Ｂ）」欄をテーブル形式にて格納している。なお、この他に、図示しないが例えば、「ガス温度」欄、「ガス流量」欄など各種センサにより計測されるデータ項目欄が複数設けられている。図５に示すように、例えば、「日時」が「２０１６年６月１日  ００：００」では、「発電機出力（ＭＷ）（信号Ａ）」欄には「１０００」、及び「燃料流量（ｋｇ／ｓ）（信号Ｂ）」欄には「１００」が格納されている。また、「日時」が「２０１６年６月１日  ０１：３０」では、「発電機出力（ＭＷ）（信号Ａ）」欄には「９５０」、及び「燃料流量（ｋｇ／ｓ）（信号Ｂ）」欄には「９５」が格納されている。【００３４】
一方、診断処理時においては、上述の異常判定部１０６が、ＡＲＴ処理部１０５が出力したカテゴリー番号に対して、カテゴリーデータベース１０９に格納されたデータに基づき正常／異常を判定する。すなわち、異常判定部１０６は、内部バス１１３を介してＡＲＴ処理部１０５から取り込んだカテゴリー番号を検索キーとして用い、カテゴリーデータベース１０９を検索し、正常カテゴリーとして登録されているか否かによって正常／異常の判断ができる。異常判定部１０６は、カテゴリーデータベース１０９内に正常として登録されていないカテゴリー番号は異常と判断し、この情報をカテゴリーデータベース１０９に格納する。上述の図４に示す例では、「カテゴリー番号」が「５」が異常として判断されたケースである。このとき、「正常／異常」の欄には「１」を格納する。また、異常判定部１０６は、カテゴリー毎の入力データの平均値を各信号について計算し、内部バス１１３を介してカテゴリーデータベース１０９に出力する。また、診断処理時において、ＡＲＴ処理部１０５により「カテゴリー番号」が「５」と判定された場合には、異常判定部１０６は、カテゴリーデータベース１０９に格納されている「カテゴリー番号」が「５」のデータに対して、「データ数」欄の値を増やすと共に「入力データ平均値」を更新する。【００３５】
また、異常判定部１０６は、内部バス１１３を介してカテゴリーの判定結果を時系列に診断結果データベース１１０に格納する。図６は、図１に示す診断結果データベース１１０のデータ構造を示す図である。図６に示すように、診断結果データベース１１０は、「日時」欄、「正常／異常」欄、及び「カテゴリー番号」欄をテーブル形式にて格納している。例えば、日時」が「２０１６年６月１日  ００：００」では、「正常／異常」欄には異常判定部１０６により正常と判定された結果として「０」、及び「カテゴリー番号」欄にはＡＲＴ処理部１０５が出力したカテゴリー番号である「０」が格納されている。また、「日時」が「２０１６年６月１日  ０１：３０」では、「正常／異常」欄には異常判定部１０６により異常と判定された結果として「１」、及び「カテゴリー番号」欄にはＡＲＴ処理部１０５が出力したカテゴリー番号である「１０」が格納されている。【００３６】
プラント異常診断装置２を構成する入出力制御部１０７（図１）は、上述の診断結果データベース１１０及びカテゴリーデータベース１０９に格納されるデータを入出力装置４へ診断結果として出力する。入出力装置４を構成する表示装置の表示形態（表示画面例）については後述する。また、入出力制御部１０７は、ユーザが入出力装置４を介して入力する異常事象に関するデータを取り込む。プラント異常診断システム１がプラント５に異常が発生していることを出力し、後に、その異常原因が判明した場合、これをプラント異常診断システム１に登録することができる。ユーザが入出力装置４を介して入力した異常原因のデータは、入出力制御部１０７及び内部バス１１３を介して、異常事象データベース１１１に格納される。【００３７】
図７は、図１に示す異常事象データベース１１１のデータ構造を示す図である。図７に示すように、異常事象データベース１１１は、「カテゴリー番号」欄、及び「異常事象」欄をテーブル形式にて格納している。すなわち、異常事象データベース１１１には、ユーザにより入出力装置４を介して登録された異常事象に関するテキスト形式のデータが、ＡＲＴ処理部１０５が出力したカテゴリー番号と対応付けて格納される。例えば、「カテゴリー番号」が「５」では、「異常事象」欄に「ポンプ故障」が格納されており、「カテゴリー番号」が「１０」では、「異常事象」欄に「熱交換器  伝熱効率低下」が格納されている。入出力制御部１０７は、上述した異常判定部１０６が異常と判定した場合、内部バス１１３を介して異常事象データベース１１１へアクセスし、異常事象データベース１１１に格納されている過去に発生した異常事象と同じものがないかを検索する。検索にはカテゴリー番号を検索キーとして用いる。異常事象データベース１１１内に、ＡＲＴ処理部１０５が出力したカテゴリー番号と同じものが存在する場合、該当する異常事象のデータ（テキスト形式のデータ）を読み出し、入出力装置４へ出力する。この処理によって、プラント異常診断システム１は、プラント５の正常／異常を判定するのみならず、過去に発生した異常事象と同じ場合には、その情報（異常事象の内容）も含めてユーザに提供することができる。【００３８】
以上が、ＡＲＴによる診断処理の流れであるが、本実施例のプラント異常診断システム１では、ＡＲＴ処理部１０５が実行するＡＲＴによる上述の処理、及び、異常判定部１０６によるプラントの診断処理を一定の時間間隔で周期的に実行するのではなく、後述する異常度算出部１０３が算出した異常度が実行条件を満たした場合にのみ処理を行う。ＡＲＴ処理部１０５によるカテゴリーの判定処理は収束計算を行うため計算負荷が必要になる。このため、ＡＲＴ処理部１０５による処理は毎ステップ実行するのではなく、ＡＲＴ制御部１０４が、ＡＲＴ処理部１０５によるカテゴリーの判定処理に適した状態になったと判定した時点でＡＲＴ処理部１０５を起動する。【００３９】
先ず、異常度算出部１０３による異常度の算出方法について説明する。図８は、異常度の算出方法を示す図である。図８の上図では説明を解り易くするため、２つの信号（信号Ｘ１、信号Ｘ２）を入力として、２次元空間上にカテゴリーを作成した場合を表している。ここでは、学習処理によって正常を表す正常カテゴリー１及び正常カテゴリー２が作成された場合を想定している。次に、診断処理時において入力データ２１２が通信Ｉ／Ｆ１１２を介して受信された場合、異常度は最近接カテゴリーの重心からの距離として定義する。図８の上図に示す例では、正常カテゴリー２よりも正常カテゴリー１の方が、２次元空間上にマッピングされた入力データ２１２に近い。このため、異常度算出部１０３は、正常カテゴリー１の重心を基準としたときの入力データ２１２までの距離で、診断対象であるプラント５全体の異常度を算出する。また、２次元空間上での入力データ２１２と正常カテゴリーとの位置関係から、各信号（信号Ｘ１、信号Ｘ２）の異常度も算出できる。【００４０】
図８の下図は、図８の上図における最近接カテゴリーである正常カテゴリー１の重心Ｘと入力データ２１２のプロット点を抜き出し拡大したものを示している。このとき、各軸方向、すなわち、信号Ｘ１の軸方向及び信号Ｘ２の軸方向それぞれの距離差が、各信号（信号Ｘ１、信号Ｘ２）の正常状態との差を表す。従って、図８の下図においては、最近接カテゴリーである正常カテゴリー１の重心Ｘと入力データ２１２の信号Ｘ１の軸方向における距離差ΔＸ１、及び、最近接カテゴリーである正常カテゴリー１の重心Ｘと入力データ２１２の信号Ｘ２の軸方向における距離差ΔＸ２に基づき、以下の式（２）を用いて信号毎（信号Ｘ１、信号Ｘ２）の異常寄与度Ｒｎを求める。  【００４１】
【数１】
0006674033.tif 000002
よって、信号Ｘ１の異常寄与度ＲＸ１は、ΔＸ１／（ΔＸ１＋ΔＸ２）として求められ、信号Ｘ２の異常寄与度ＲＸ２は、ΔＸ２／（ΔＸ１＋ΔＸ２）として求められる。【００４２】
また、上述の診断対象であるプラント５全体の異常度をＡとしたとき、信号ｎの異常度Ｓｎは、異常寄与度Ｒｎを用いて以下の式（３）を用いて算出する。  
Ｓｎ＝Ａ×Ｒｎ    ・・・（３）  
よって、信号Ｘ１の異常度ＳＸ１は、（Ａ×ΔＸ１）／（ΔＸ１＋ΔＸ２）として求められ、信号Ｘ２の異常度ＳＸ２は、（Ａ×ΔＸ２）／（ΔＸ１＋ΔＸ２）として求められる。各信号の異常度Ｓｎを合計した値は、診断対象であるプラント５全体の異常度Ａと等しい関係にある。従って、異常度算出部１０３によって算出した異常度は、図９に示すような表示形態にて表示できる。図９は、異常度の時間変化を示す図であり、縦軸に異常度を取り、横軸に時間を取り、各信号（信号Ｘ１、信号Ｘ２）の異常度Ｓｎを色分けして表示している。上述のとおり信号Ｘ１の異常度（ＳＸ１）と信号Ｘ２の異常度（ＳＸ２）の合計が、診断対象であるプラント５全体の異常度Ａとなる。すなわち、各信号（信号Ｘ１、信号Ｘ２）の異常度Ｓｎは、診断対象であるプラント５全体の異常度Ａに対する各信号（信号Ｘ１、信号Ｘ２）の内訳として評価できる。この表示形態であれば、異常度Ｓｎの値が大きくなったとき、どの信号ｎが正常状態からの逸脱が大きいのかを視覚的に容易に判断できる。【００４３】
以上のように、異常度算出部１０３は、診断処理時において通信Ｉ／Ｆ１１２を介して受信される入力データに対して異常度を算出し、これらの値を診断結果データベース１１０に格納する。図１０は、診断結果データベース１１０のデータ構造を示す図である。図１０に示すように、診断結果データベース１１０は、「日時」欄、診断対象であるプラント５全体の異常度Ａを示す「異常度」欄、及び各信号ｎの異常寄与度（Ｒｎ）を示す「異常寄与度（Ｒｎ）」欄をテーブル形式にて格納している。すなわち、診断対象であるプラント５全体の異常度Ａ及び各信号ｎの異常寄与度（Ｒｎ）が時系列形式にて格納される。
例えば、「日時」が「２０１６年６月１日  ００：００」では、診断対象であるプラント５全体の異常度Ａを示す「異常度」欄には「０．０１」、及び「異常寄与度（Ｒｎ）」欄には「信号Ａ」の異常寄与度ＲＡである「０．０」、「信号Ｂ」の異常寄与度ＲＢである「０．０」が格納されている。また、「日時」が「２０１６年６月１日  ０１：３０」では、診断対象であるプラント５全体の異常度Ａを示す「異常度」欄には「０．０５」、及び「異常寄与度（Ｒｎ）」欄には「信号Ａ」の異常寄与度ＲＡである「０．１」、「信号Ｂ」の異常寄与度ＲＢである「０．５」が格納されている。なお、本実施例では、各信号ｎの異常寄与度（Ｒｎ）を格納する構成としたが、これに代えて、各信号ｎの異常度（Ｓｎ）を格納する構成としても良い。【００４４】
次に、図１に示すＡＲＴ制御部１０４が、異常度算出部１０３が出力した異常度のデータに基づき、ＡＲＴ処理部１０５の実行のタイミングを制御する。  
ＡＲＴ処理部１０５が、ＡＲＴによる処理で新規にカテゴリーを作成する場合、既存カテゴリー（正常カテゴリー）外のデータが蓄積された時点で、新規カテゴリー（異常カテゴリー）を作成すれは効率が向上する。図１１に、ＡＲＴによるクラスタリングの概念の説明図を示す。特に、図１１に示すように、２次元空間上でまとまった位置に多数存在するケースが良い。これを踏まえ、ＡＲＴ制御部１０４は、以下に示す条件のいずれかが満たされる場合に、ＡＲＴ処理部１０５を起動し、ＡＲＴによる処理を実行させる。  
条件１：診断対象であるプラント５全体の異常度Ａが閾値を超えた回数が一定数以上    条件２：信号ｎの異常度Ｓｎが閾値を超えた回数が一定数以上（信号毎にカウント）    条件３：最近接の正常カテゴリーとして選ばれた回数が一定数以上（カテゴリー毎にカウント）  
なお、各条件における閾値は、例えば、上述の学習処理時におけるデータのゆらぎ（データが有する特性）を考慮し、診断対象であるプラント５全体の異常度Ａ又は信号ｎの異常度Ｓｎの算出結果に基づき、適宜設定される。【００４５】
診断対象であるプラント５全体の異常度Ａ、信号ｎの異常度Ｓｎ、及び最近接の正常カテゴリーは、全て異常度算出部１０３で算出するパラメータである。ＡＲＴ制御部１０４は、内部バス１１３を介して異常度算出部１０３の出力を取り込み、これらの回数をカウントすることにより、ＡＲＴ処理部１０５の実行タイミング（起動タイミング）を決定する。ＡＲＴ処理部１０５の起動後の処理は、上述のＡＲＴによる処理にて正常／異常の判定が行われる。【００４６】
次に、プラント異常診断システム１を構成する入出力装置４の表示装置の表示画面について説明する。図１２は、異常度の時間変化及びカテゴリー番号の時間変化を表示する表示画面例である。図１２に示すように、入出力装置４を構成する表示装置の表示画面４１０は、信号ｎの異常度Ｓｎの時間変化を表示する第１表示領域４１１、及び、ＡＲＴ処理部１０５より出力されるカテゴリー番号の時間変化を表示する第２表示領域４１２から構成される。【００４７】
図１２に示す例では、第１表示領域４１１に、横軸に日時を取り、縦軸に異常度を取り、信号Ａの異常度ＳＡ、信号Ｂの異常度ＳＢ、信号Ｃの異常度ＳＣ、及び信号Ｄの異常度ＳＤの時間変化をそれぞれ異なる色にて表示する。信号Ａの異常度ＳＡ、信号Ｂの異常度ＳＢ、信号Ｃの異常度ＳＣ、及び信号Ｄの異常度ＳＤの合計が、診断対象であるプラント５全体の異常度Ａであることから、診断対象であるプラント５全体の異常度Ａの時間変化及び信号ｎ毎の異常度Ｓｎの内訳が、ユーザにとって視覚的に容易に把握するが可能となる。図１２に示す例では、６月１日の２：００頃から診断対象であるプラント５全体の異常度Ａが急増しているが、これは信号Ｂの影響が大きいことが分かる。【００４８】
また、図１２に示す例では、第２表示領域４１２に、横軸に日時を取り、縦軸にカテゴリー番号を取り、上述のＡＲＴ処理部１０５より出力されるカテゴリー番号の時間変化が正常カテゴリーと異常カテゴリーとを識別可能に表示する。図１２に示す例では、カテゴリー番号が１〜４までが正常カテゴリーであり、それを超えるカテゴリー番号（カテゴリー番号が５〜７）は、異常カテゴリーであることを示している。【００４９】
図１３は、ＡＲＴ処理部１０５によるカテゴリー判定の処理が実行され、図１２と比べてカテゴリー番号のプロットデータ数が増えた状態を示している。図１３に示すように、第１表示領域４１１に表示される異常度の時間変化は、図１２と同様である。第２表示領域４１２に表示されるカテゴリー番号の時間変化において、図１２よりも、カテゴリー番号が７のプロットデータ数が３点増えている。このように、第１表示領域４１１に表示される診断対象であるプラント５全体の異常度Ａの時間変化及び信号ｎ毎の異常度Ｓｎは、一定の時間間隔で算出されて画面上に定期的に更新表示されるのに対し、第２表示領域４１２に表示されるカテゴリー番号の時間変化はＡＲＴ処理部１０５が実行した時点で、前回の実行時から蓄積されたデータ分を表示する。【００５０】
図１４は、異常事象の登録時における表示画面例である。図１４に示すように、入出力装置４を構成する表示装置の表示画面４１０は、ＡＲＴ処理部１０５より出力されるカテゴリー番号の時間変化を表示する第１表示領域４１１、入出力装置４を構成する入力装置を介してユーザによる異常事象登録の入力を受け付ける入力領域４１３、登録ボタン４１４、及びキャンセルボタン４１５から構成される。【００５１】
図１４に示すように、第１表示領域４１１に表示されるカテゴリー番号の時間変化は、上述の図１３に示した第２表示領域４１２に表示される表示内容と同様である。入力領域４１３は、ユーザによる異常事象の入力を可能とする領域であり、「カテゴリー番号」を選択入力する領域及びテキスト形式にて異常事象を入力する領域を有する。図１４に示す例では、第１表示領域４１１に表示されるＡＲＴ処理部１０５より出力されるカテゴリー番号の時間変化のうち、カテゴリー番号が５〜７がユーザにより入出力装置４を構成する入力装置を介して選択入力された状態を示している。また、テキスト形式にて異常事象を入力する領域に「ポンプ異常」が入力された状態を示している。この画面表示状態において、ユーザによる入力装置であるマウスなどの操作によりマウスポインタが登録ボタン４１４上に位置付けられ、マウスがクリックされると、登録ボタン４１４がアクティブとなる。これにより、入出力制御部１０７及び内部バス１１３を介して、上述の図７に示した異常事象データベース１１１に、「カテゴリー番号」欄が「５」、「６」、及び「７」に対応する「異常事象」欄に「ポンプ異常」が格納される。なお、「カテゴリー番号」を選択入力する領域をプルダウンメニューにてユーザが所望のカテゴリー番号を選択入力する構成としても良い。【００５２】
図１５は、カテゴリー番号の時間変化及び診断結果としての異常事象を表示する表示画面例である。図１５に示す例では、上述のユーザにより「異常事象登録」が行われた「６月１日」から１か月以上経過した「７月１５日」における表示画面例を示している。第１表示領域４１１に表示されるカテゴリー番号の時間変化に示されるように、「７月１５日  １２：３０」にカテゴリー番号が正常カテゴリーから逸脱し、ＡＲＴ処理部１０５がカテゴリー番号として「５」を出力した状態を示している。図１４に示したように、以前に、カテゴリー番号が「５」に対して異常事象の情報が異常事象データベース１１１に登録されていることから、第２表示領域４１２に、「異常事象」として、時刻「１２：３０」に発生事象として「ポンプ異常」が生じている旨、及びそのカテゴリー番号が「５」であることが表示されている。このように、ＡＲＴ処理部１０５が出力するカテゴリー番号を用いることにより、発生異常が過去に経験したものであれば、入出力制御部１０７が内部バス１１３を介して異常事象データベース１１１へアクセスし、異常事象データベース１１１にカテゴリー番号と対応付けて格納されている異常原因などの情報を、入出力装置４を構成する表示装置の画面上に表示することで、ユーザに提供することが可能となる。また、ユーザはプラント異常診断システム１が提供する異常情報を参考にしながら、対応操作や作業内容を検討できる。【００５３】
上述の通り、本実施例のプラント異常診断システム１を構成するプラント異常診断装置２は、プラント制御装置３から受信される、診断対象のプラント５を構成する各種機器及び配管などに設置される各種センサからの複数の計測データ（信号）に基づき、プラント５全体の異常度Ａ及び各信号ｎの異常度Ｓｎを算出する。その後、プラント５全体の異常度Ａ及び／又は各信号ｎの異常度Ｓｎの傾向に応じてＡＲＴによる処理によりカテゴリー判定処理を実行する。【００５４】
以上の通り、本実施例によれば、ＡＲＴを用いたプラントの異常診断において、プラント全体での異常を早期に判定し得るプラント異常診断装置及びプラント異常診断システムを提供することが可能となる。  
また、本実施例によれば、ＡＲＴによるカテゴリー判定処理を一定時間間隔で行うのではなく、異常度の傾向に応じて、或は異常度の高いデータが蓄積された時点で、判定処理の実行を制御することにより、判定処理に要する計算負荷を軽減できると共に、トータルの処理時間を短縮でき、プラント全体での異常を早期に判定できる。  
また、診断対象のプラント全体の異常度に加え、信号毎の異常度も含めて表示装置の画面上に表示することにより、いずれの信号が正常カテゴリーから逸脱しているかを視覚的に容易に把握できる。  
また、ＡＲＴ処理によって判定するカテゴリーと異常事象に関する情報を対応付けて異常事象データベースに格納することにより、過去に発生した異常と同様の異常に対しては、上述の診断対象のプラント全体の異常度、信号後の異常度に加えて、異常事象などの情報も含めてユーザへ提供することにより、異常対応の検討に役立てることができる。【００５５】
なお、本発明は上記した実施例に限定されるものではなく、様々な変形例が含まれる。
例えば、上記した実施例は本発明を分かりやすく説明するために詳細に説明したものであり、必ずしも説明した全ての構成を備えるものに限定されるものではない。
【符号の説明】
【００５６】
１・・・プラント異常診断システム，２・・・プラント異常診断装置，３・・・プラント制御装置，４・・・入出力装置，５・・・プラント，１０１・・・データ取得部，１０２・・・データ前処理部，１０３・・・異常度算出部，１０４・・・ＡＲＴ制御部，１０５・・・ＡＲＴ処理部，１０６・・・異常判定部，１０７・・・入出力制御部，１０８・・・プラントデータベース，１０９・・・カテゴリーデータベース，１１０・・・診断結果データベース，１１１・・・異常事象データベース，１１２・・・通信Ｉ／Ｆ，１１３・・・内部バス，２１０ａ，２１０ｂ・・・カテゴリー，２１１，２１２・・・入力データ，３１０・・・正規化・ノイズ除去部（Ｆ０レイヤー），３１１・・・入力パターン保持部（Ｆ１レイヤー），３１２・・・カテゴリー出力部（Ｆ２レイヤー），３１３・・・カテゴリー妥当性判定部（Ｏｒｉｅｎｔｉｎｇ  Ｓｕｂｓｙｓｔｅｍ），３１４・・・メモリー，４１０・・・表示画面，４１１・・・第１表示領域，４１２・・・第２表示領域，４１３・・・入力領域，４１４・・・登録ボタン，４１５・・・キャンセルボタン
【図１】
0006674033.tif 000003
【図２】
0006674033.tif 000004
【図３】
0006674033.tif 000005
【図４】
0006674033.tif 000006
【図５】
0006674033.tif 000007
【図６】
0006674033.tif 000008
【図７】
0006674033.tif 000009
【図８】
0006674033.tif 000010
【図９】
0006674033.tif 000011
【図１０】
0006674033.tif 000012
【図１１】
0006674033.tif 000013
【図１２】
0006674033.tif 000014
【図１３】
0006674033.tif 000015
【図１４】
0006674033.tif 000016
【図１５】
0006674033.tif 000017